(57)【要約】【課題】本発明は、部品点数を増やさずに、自動的に光伝送モジュールの抜け止めを図ることを目的とする。【解決手段】ベイル３２は、モジュール本体１０に支持される支点軸部３４と、スライダ２６に支持される作用点軸部３８と、連結部４４と、を有する。作用点軸部３８は、第１方向Ｄ１及び第２方向Ｄ２に交差するとともに作用点軸部３８の回転軸に交差する方向の移動が規制される。スライダ２６がロック位置にあるときに、支点軸部３４を回転させるように取っ手部４６に外力を加えると、少なくとも連結部４４の弾性変形を生じさせながら、作用点軸部３８を第２方向Ｄ２に移動させて、スライダ２６をロック位置からロック解除位置の方向に移動させる。少なくとも連結部４４に弾性変形によって生じる応力は、スライダ２６がロック位置に戻るように、作用点軸部３８を第１方向Ｄ１に戻す力として働く。【選択図】図１
2011133655.tif 000002
【特許請求の範囲】
【請求項１】
ケージへの脱着が可能な光伝送モジュールであって、
光ファイバを挿入するための光ポートを有するモジュール本体と、
前記光伝送モジュールの前記ケージへの装着方向である第１方向及び前記ケージからの取り外し方向である第２方向に沿って前記モジュール本体と前記ケージの間で移動でき、前記第１方向及び前記第２方向に交差する方向の移動が規制されるように、前記モジュール本体の外側に取り付けられたスライダと、
回転するように前記モジュール本体に取り付けられたベイルと、
を有し、
前記ケージは、前記ケージの内側に突出するロックタブを有し、
前記モジュール本体は、前記ロックタブとのロック部を有し、前記ロック部は、前記光伝送モジュールが前記ケージに装着されたときに、前記ロックタブよりも前記ケージの奥に配置されて前記ロックタブとロックし、前記光伝送モジュールの抜け止めを図り、
前記スライダは、外側に突出する凸部を有し、前記凸部が前記ロックタブよりも前記ケージの奥に位置するロック位置から、前記凸部が前記ロックタブと対向して前記ロックタブを押し上げて前記ロックタブと前記ロック部のロックを解除するロック解除位置まで移動し、
前記ベイルは、前記モジュール本体に対して回転が許容されるように前記モジュール本体に支持される支点軸部と、前記支点軸部から延びて前記支点軸部に回転する方向の力を加えるための取っ手部と、前記スライダに対して回転が許容されるように前記スライダに支持される作用点軸部と、前記支点軸部及び前記作用点軸部を連結する連結部と、を有し、
前記支点軸部と前記作用点軸部とは、回転軸が相互に平行であっていずれの前記回転軸も前記第１方向及び前記第２方向に交差し、前記スライダが前記ロック位置にあるとき、前記作用点軸部の前記回転軸が、前記支点軸部の前記回転軸よりも、前記第１方向にずれた位置にあり、
前記作用点軸部は、移動が規制された前記スライダに支持されることによって、前記第１方向及び前記第２方向の移動が許容されるが、前記第１方向及び前記第２方向に交差するとともに前記作用点軸部の前記回転軸に交差する方向の移動が規制され、
前記スライダが前記ロック位置にあるときに、前記支点軸部を回転させるように前記取っ手部に外力を加えると、少なくとも前記連結部の弾性変形を生じさせながら、前記作用点軸部を前記第２方向に移動させて、前記スライダを前記ロック位置から前記ロック解除位置の方向に移動させ、
少なくとも前記連結部に前記弾性変形によって生じる応力は、前記スライダが前記ロック位置に戻るように、前記作用点軸部を前記第１方向に戻す力として働くことを特徴とする光伝送モジュール。
【請求項２】
請求項１に記載された光伝送モジュールにおいて、
前記モジュール本体は、前記第１方向及び前記第２方向を長さ方向として、前記長さ方向に延びる外周面を有し、
前記外周面は、相互に反対を向く一対の側面と、相互に反対を向く上面及び下面と、を有し、前記一対の側面の間の方向と前記上面及び下面の間の方向とは直交し、
前記スライダは、前記一対の側面の隣にそれぞれ配置された一対のステー部と、前記下面の下に配置されて前記一対のステー部を連結するベース部と、を有し、
前記一対のステー部のそれぞれが前記凸部を有し、
前記ベース部は、前記作用点軸部を支持する軸受け部を有することを特徴とする光伝送モジュール。
【請求項３】
請求項２に記載された光伝送モジュールにおいて、
前記モジュール本体は、前記一対の側面のそれぞれに形成された前記長さ方向に延びる溝を有し、
前記一対のステー部のそれぞれは、前記溝にガイドされて前記長さ方向にスライドできるように配置され、
前記スライダは、前記一対のステー部によって移動方向が規制されることを特徴とする光伝送モジュール。
【請求項４】
請求項１から３のいずれか１項に記載された光伝送モジュールにおいて、
前記ベイルは、一対の前記支点軸部と、一対の前記作用点軸部と、一対の前記連結部と、を有し、
一方の前記支点軸部及び一方の前記作用点軸部を一方の前記連結部が連結し、他方の前記支点軸部及び他方の前記作用点軸部を他方の前記連結部が連結し、
前記取っ手部が、一方の前記支点軸部と他方の前記支点軸部を連結することを特徴とする光伝送モジュール。
【請求項５】
請求項４に記載された光伝送モジュールにおいて、
前記取っ手部は、一方の前記支点軸部に連結される第１取っ手部と、他方の前記支点軸部に連結される第２取っ手部と、前記第１取っ手部及び前記第２取っ手部を連結する取っ手連結部材と、を含み、
一方の前記作用点軸部と、一方の前記連結部と、一方の前記支点軸部と、前記第１取っ手部と、が一体的な１つの第１部材からなり、
他方の前記作用点軸部と、他方の前記連結部と、他方の前記支点軸部と、前記第２取っ手部と、が一体的な１つの第２部材からなり、
前記取っ手連結部材は、前記第１部材及び前記第２部材とは別部材からなることを特徴とする光伝送モジュール。
【請求項６】
請求項５に記載された光伝送モジュールにおいて、
前記第１部材及び前記第２部材は、それぞれ、屈曲した線材からなり、
前記取っ手連結部材は、パイプ材からなることを特徴とする光伝送モジュール。
【請求項７】
請求項６に記載された光伝送モジュールにおいて、
前記取っ手連結部材と前記第１部材及び前記第２部材との連結が、カシメ、溶接又は圧入によってなされていることを特徴とする光伝送モジュール。
【請求項８】
請求項１から７のいずれか１項に記載された光伝送モジュールにおいて、
前記取っ手部が、前記光ポートの前方から前記光ポートの前方を避けた回避位置までを前記支点軸部の前記回転軸を中心に移動するように、前記ベイルは前記モジュール本体に取り付けられ、
前記スライダが前記ロック位置にあるときに、前記取っ手部は前記回避位置にあり、
前記スライダが前記ロック解除位置にあるときに、前記取っ手部は前記光ポートの前方に位置して、前記光ファイバの前記光ポートへの挿入を防止することを特徴とする光伝送モジュール。
【請求項９】
請求項８に記載された光伝送モジュールにおいて、
前記スライダは、前記取っ手部が前記回避位置から前記光ポートの前方を超えて移動することを防止するために、前記ベイルの回転範囲を規制するストッパを含むことを特徴とする光伝送モジュール。
【発明の詳細な説明】
【技術分野】
【０００１】
本発明は、光伝送モジュールに関する。
【背景技術】
【０００２】
光ファイバ通信に用いられる光伝送モジュールとして、破損や性能劣化などに伴う交換を容易にするため、脱着可能なプラガブル構造を有するものが知られている（特許文献１及び２参照）。光伝送モジュールは、電子回路を有する回路基板に搭載されたケージに脱着できるようになっている。
【先行技術文献】
【特許文献】
【０００３】
【特許文献１】特開２００８−２５７２３５号公報
【特許文献２】特開２００８−２３３６４５号公報
【発明の概要】
【発明が解決しようとする課題】
【０００４】
従来の光伝送モジュールは、ケージに形成されたツメに引っ掛かる係合部を有しており、ケージからの抜け止めを図るようになっていた。抜け止めの解除は、光伝送モジュールのスライダによって行うようになっている。スライダは、ベイル（取っ手）を回転させることで直線移動するようになっており、ベイルを回転させることでスライダが直線移動し、これによりツメを押し上げてロックを解除する。
【０００５】
逆に言うと、ツメを押し上げる位置（ロック解除位置）にスライダを配置したままでは、ツメが係合部に引っ掛からず、光伝送モジュールの抜け止めを図ることができなかった。また、スライダをロック解除位置から自動的にずらすにはバネ部品を追加するなど部品点数が増えるという問題がある。
【０００６】
本発明は、部品点数を増やさずに、自動的に光伝送モジュールの抜け止めを図ることを目的とする。
【課題を解決するための手段】
【０００７】
（１）本発明に係る光伝送モジュールは、ケージへの脱着が可能な光伝送モジュールであって、光ファイバを挿入するための光ポートを有するモジュール本体と、前記光伝送モジュールの前記ケージへの装着方向である第１方向及び前記ケージからの取り外し方向である第２方向に沿って前記モジュール本体と前記ケージの間で移動でき、前記第１方向及び前記第２方向に交差する方向の移動が規制されるように、前記モジュール本体の外側に取り付けられたスライダと、回転するように前記モジュール本体に取り付けられたベイルと、を有し、前記ケージは、前記ケージの内側に突出するロックタブを有し、前記モジュール本体は、前記ロックタブとのロック部を有し、前記ロック部は、前記光伝送モジュールが前記ケージに装着されたときに、前記ロックタブよりも前記ケージの奥に配置されて前記ロックタブとロックし、前記光伝送モジュールの抜け止めを図り、前記スライダは、外側に突出する凸部を有し、前記凸部が前記ロックタブよりも前記ケージの奥に位置するロック位置から、前記凸部が前記ロックタブと対向して前記ロックタブを押し上げて前記ロックタブと前記ロック部のロックを解除するロック解除位置まで移動し、前記ベイルは、前記モジュール本体に対して回転が許容されるように前記モジュール本体に支持される支点軸部と、前記支点軸部から延びて前記支点軸部に回転する方向の力を加えるための取っ手部と、前記スライダに対して回転が許容されるように前記スライダに支持される作用点軸部と、前記支点軸部及び前記作用点軸部を連結する連結部と、を有し、前記支点軸部と前記作用点軸部とは、回転軸が相互に平行であっていずれの前記回転軸も前記第１方向及び前記第２方向に交差し、前記スライダが前記ロック位置にあるとき、前記作用点軸部の前記回転軸が、前記支点軸部の前記回転軸よりも、前記第１方向にずれた位置にあり、前記作用点軸部は、移動が規制された前記スライダに支持されることによって、前記第１方向及び前記第２方向の移動が許容されるが、前記第１方向及び前記第２方向に交差するとともに前記作用点軸部の前記回転軸に交差する方向の移動が規制され、前記スライダが前記ロック位置にあるときに、前記支点軸部を回転させるように前記取っ手部に外力を加えると、少なくとも前記連結部の弾性変形を生じさせながら、前記作用点軸部を前記第２方向に移動させて、前記スライダを前記ロック位置から前記ロック解除位置の方向に移動させ、少なくとも前記連結部に前記弾性変形によって生じる応力は、前記スライダが前記ロック位置に戻るように、前記作用点軸部を前記第１方向に戻す力として働くことを特徴とする。本発明によれば、ベイルの連結部の弾性変形によって生じる応力によって、スライダをロック位置に戻すことができる。したがって、外力を加えない限り、スライダがロック解除位置には留まらないので、部品点数を増やさずに、自動的に光伝送モジュールの抜け止めを図ることができる。
【０００８】
（２）（１）に記載された光伝送モジュールにおいて、前記モジュール本体は、前記第１方向及び前記第２方向を長さ方向として、前記長さ方向に延びる外周面を有し、前記外周面は、相互に反対を向く一対の側面と、相互に反対を向く上面及び下面と、を有し、前記一対の側面の間の方向と前記上面及び下面の間の方向とは直交し、前記スライダは、前記一対の側面の隣にそれぞれ配置された一対のステー部と、前記下面の下に配置されて前記一対のステー部を連結するベース部と、を有し、前記一対のステー部のそれぞれが前記凸部を有し、前記ベース部は、前記作用点軸部を支持する軸受け部を有することを特徴としてもよい。
【０００９】
（３）（２）に記載された光伝送モジュールにおいて、前記モジュール本体は、前記一対の側面のそれぞれに形成された前記長さ方向に延びる溝を有し、前記一対のステー部のそれぞれは、前記溝にガイドされて前記長さ方向にスライドできるように配置され、前記スライダは、前記一対のステー部によって移動方向が規制されることを特徴としてもよい。
【００１０】
（４）（１）から（３）のいずれか１項に記載された光伝送モジュールにおいて、前記ベイルは、一対の前記支点軸部と、一対の前記作用点軸部と、一対の前記連結部と、を有し、一方の前記支点軸部及び一方の前記作用点軸部を一方の前記連結部が連結し、他方の前記支点軸部及び他方の前記作用点軸部を他方の前記連結部が連結し、前記取っ手部が、一方の前記支点軸部と他方の前記支点軸部を連結することを特徴としてもよい。
【００１１】
（５）（４）に記載された光伝送モジュールにおいて、前記取っ手部は、一方の前記支点軸部に連結される第１取っ手部と、他方の前記支点軸部に連結される第２取っ手部と、前記第１取っ手部及び前記第２取っ手部を連結する取っ手連結部材と、を含み、一方の前記作用点軸部と、一方の前記連結部と、一方の前記支点軸部と、前記第１取っ手部と、が一体的な１つの第１部材からなり、他方の前記作用点軸部と、他方の前記連結部と、他方の前記支点軸部と、前記第２取っ手部と、が一体的な１つの第２部材からなり、前記取っ手連結部材は、前記第１部材及び前記第２部材とは別部材からなることを特徴としてもよい。
【００１２】
（６）（５）に記載された光伝送モジュールにおいて、前記第１部材及び前記第２部材は、それぞれ、屈曲した線材からなり、前記取っ手連結部材は、パイプ材からなることを特徴としてもよい。
【００１３】
（７）（６）に記載された光伝送モジュールにおいて、前記取っ手連結部材と前記第１部材及び前記第２部材との連結が、カシメ、溶接又は圧入によってなされていることを特徴としてもよい。
【００１４】
（８）（１）から（７）のいずれか１項に記載された光伝送モジュールにおいて、前記取っ手部が、前記光ポートの前方から前記光ポートの前方を避けた回避位置までを前記支点軸部の前記回転軸を中心に移動するように、前記ベイルは前記モジュール本体に取り付けられ、前記スライダが前記ロック位置にあるときに、前記取っ手部は前記回避位置にあり、前記スライダが前記ロック解除位置にあるときに、前記取っ手部は前記光ポートの前方に位置して、前記光ファイバの前記光ポートへの挿入を防止することを特徴としてもよい。
【００１５】
（９）（８）に記載された光伝送モジュールにおいて、前記スライダは、前記取っ手部が前記回避位置から前記光ポートの前方を超えて移動することを防止するために、前記ベイルの回転範囲を規制するストッパを含むことを特徴としてもよい。
【図面の簡単な説明】
【００１６】
【図１】本発明の実施形態に係る光伝送モジュールの使用形態を示す図である。
【図２】本実施形態に係る光伝送モジュールを示す斜視図である。
【図３】図２に示す光伝送モジュールの分解斜視図である。
【図４Ａ】光伝送モジュールのケージからの取り外し方法を説明する図である。
【図４Ｂ】光伝送モジュールのケージからの取り外し方法を説明する図である。
【図５】ベイルとスライダの取り付け状態を示す図である。
【図６】図２に示す状態と比較してベイルを回転させた状態を示す図である。
【図７】図２に示す光伝送モジュールのVII−VII線断面の一部を示す図である。
【図８】図６に示す光伝送モジュールのVIII−VIII線断面の一部を示す図である。
【図９】スライダが移動するときのベイルの形状を説明するための平面図である。
【図１０】スライダが移動するときのベイルの形状を説明するための正面図である。
【図１１】スライダがロック解除位置にあるときの状態を示す斜視図である。
【図１２】弾性変形したベイルを示す図である。
【発明を実施するための形態】
【００１７】
以下、本発明の実施形態について図面を参照して説明する。
【００１８】
図１は、本発明の実施形態に係る光伝送モジュールの使用形態を示す図である。図２は、本実施形態に係る光伝送モジュールを示す斜視図である。
【００１９】
光伝送モジュール１は、ケージ２への脱着が可能になっている。ケージ２は、回路基板３に搭載されており、光伝送モジュール１のコネクタ４へのガイドとなる。ケージ２は、光伝送モジュール１を挿入する空間側（ケージ２の内側）に突出するロックタブ５を有している。
【００２０】
以下の説明で、光伝送モジュール１のケージ２への装着方向を第１方向Ｄ１とし、光伝送モジュール１のケージ２からの取り外し方向を第２方向Ｄ２とする。
【００２１】
図３は、図２に示す光伝送モジュール１の分解斜視図である。光伝送モジュール１は、モジュール本体１０を有する。モジュール本体１０は、第２方向Ｄ２の先端部に第２方向Ｄ２に開口する光ポート１２を備えている。光ポート１２は、図１に示すように、光ファイバ６を挿入できるようになっており、光伝送モジュール１と光ファイバ６とを光学的に接続できるようになっている。
【００２２】
モジュール本体１０は、第１方向Ｄ１及び第２方向Ｄ２を長さ方向として、長さ方向に延びる外周面を有する。外周面は、相互に反対を向く一対の側面１４と、相互に反対を向く上面１６及び下面１８と、を有している。一対の側面１４の間の方向と上面１６及び下面１８の間の方向とは直交する。
【００２３】
モジュール本体１０は、図３に示すように、一対の側面１４のそれぞれに長さ方向に延びるように形成された溝２０を有する。第１方向Ｄ１の端部において、溝２０の幅（第１方向Ｄ１に直交する長さ）の中央部が、第１方向Ｄ１に長くなっている。言い換えると、溝２０は、第１方向Ｄ１の端部に、さらに第１方向Ｄ１に入る切り込み部２２を有する。
【００２４】
モジュール本体１０は、ロックタブ５とのロック部２４を有する。図３に示す例では、溝２０の、切り込み部２２に隣接する部分がロック部２４である。ロック部２４は、図１に示すように、光伝送モジュール１がケージ２に装着されたときに、ロックタブ５よりもケージ２の奥に配置される。これにより、ロックタブ５とロック部２４とがロックし、光伝送モジュール１の抜け止めを図ることができる。
【００２５】
光伝送モジュール１は、スライダ２６を有する。スライダ２６は、モジュール本体１０の外側に取り付けられている。スライダ２６は、第１方向Ｄ１及び第２方向Ｄ２に沿ってモジュール本体１０とケージ２の間で移動できるようになっている。
【００２６】
スライダ２６は、モジュール本体１０の一対の側面１４の隣にそれぞれ配置される一対のステー部２８を有する。一対のステー部２８のそれぞれは、モジュール本体１０の溝２０にガイドされて長さ方向にスライドできるように配置されている。スライダ２６は、一対のステー部２８によって移動方向が規制される。つまり、スライダ２６は、第１方向Ｄ１及び第２方向Ｄ２に交差する方向の移動が規制されている。スライダ２６は、外側に突出する凸部３０を有する。一対のステー部２８のそれぞれが凸部３０を有する。スライダ２６は、モジュール本体１０の下面１８の下に配置されて一対のステー部２８を連結するベース部４０を有する。
【００２７】
図４Ａ及び図４Ｂは、光伝送モジュール１のケージ２からの取り外し方法を説明する図である。図４Ａ及び図４Ｂは、図１に示す構造のIV−IV線に沿って切断した断面に対応している。
【００２８】
図４Ａには、光伝送モジュール１がケージ２に装着されたときの構造が示されている。このとき、モジュール本体１０のロック部２４は、ケージ２のロックタブ５よりもケージ２の奥に配置される。ロックタブ５は、モジュール本体１０の溝２０に入り込んで、溝２０の端部であるロック部２４に係合する。これにより、ロックタブ５とロック部２４とがロックし、光伝送モジュール１の抜け止めが図られる。このとき、スライダ２６の凸部３０は、ロックタブ５よりもケージ２の奥に位置する。詳しくは、凸部３０は、溝２０の切り込み部２２に入り込んでいる。この状態で、スライダ２６はロック位置にあるものとする。
【００２９】
図４Ｂに示すように、光伝送モジュール１を取り外すときには、スライダ２６をスライドさせる。そして、凸部３０をロックタブ５と対向させて、ロックタブ５を押し上げて、ロックタブ５とロック部２４のロックを解除する。この状態でスライダ２６はロック解除位置にあるものとする。このように、スライダ２６をロック位置からロック解除位置まで移動することで、光伝送モジュール１をケージ２から取り外すことができる。
【００３０】
光伝送モジュール１は、回転するようにモジュール本体１０に取り付けられたベイル３２を有する。
【００３１】
ベイル３２は、支点軸部３４（本実施形態では一対の支点軸部３４）を有する。支点軸部３４は、モジュール本体１０に対して回転が許容されるようにモジュール本体１０に支持される。モジュール本体１０には、図３に示すように、支点軸部３４を支持する軸受け部３６を有する。
【００３２】
図５は、ベイル３２とスライダ２６の取り付け状態を示す図である。ベイル３２は、作用点軸部３８（本実施形態では一対の作用点軸部３８）を有する。作用点軸部３８は、スライダ２６に対して回転が許容されるようにスライダ２６に支持される。スライダ２６のベース部４０は、ベイル３２の作用点軸部３８を支持する軸受け部４２を有する。
【００３３】
ベイル３２は、支点軸部３４及び作用点軸部３８を連結する連結部４４（本実施形態では一対の連結部４４）を有する。一方の支点軸部３４及び一方の作用点軸部３８を一方の連結部４４が連結している。他方の支点軸部３４及び他方の作用点軸部３８を他方の連結部４４が連結している。
【００３４】
支点軸部３４と作用点軸部３８とは、回転軸が相互に平行である。また、支点軸部３４及び作用点軸部３８の回転軸は、いずれも第１方向Ｄ１及び第２方向Ｄ２に交差する。
【００３５】
ベイル３２は、取っ手部４６を有する。取っ手部４６は、支点軸部３４から延びて支点軸部３４に回転する方向の力を加えるためのものである。取っ手部４６が、一方の支点軸部３４と他方の支点軸部３４を連結する。
【００３６】
図３に示すように、取っ手部４６は、一方の支点軸部３４に連結される第１取っ手部１４６と、他方の支点軸部３４に連結される第２取っ手部２４６と、第１取っ手部１４６及び第２取っ手部２４６を連結する取っ手連結部材４８と、を含む。
【００３７】
一方の作用点軸部３８と、一方の連結部４４と、一方の支点軸部３４と、第１取っ手部１４６と、が一体的な１つの第１部材５０からなる。他方の作用点軸部３８と、他方の連結部４４と、他方の支点軸部３４と、第２取っ手部２４６と、が一体的な１つの第２部材５２からなる。取っ手連結部材４８は、第１部材５０及び第２部材５２とは別部材からなる。第１部材５０及び第２部材５２は、それぞれ、屈曲した線材からなる。取っ手連結部材４８は、パイプ材からなる。取っ手連結部材４８に、赤、黄又は青などの着色を施してもよい。取っ手連結部材４８と第１部材５０及び第２部材５２との連結は、カシメ、溶接又は圧入によってなされている。
【００３８】
図６は、図２に示す状態と比較してベイル３２を回転させた状態を示す図である。取っ手部４６は、光ポート１２の前方から光ポート１２の前方を避けた回避位置までを、支点軸部３４の回転軸を中心に移動するようになっている。図２に示すようにスライダ２６がロック位置にあるときに、取っ手部４６は回避位置にある。図６に示すようにスライダ２６がロック解除位置にあるときに、取っ手部４６は光ポート１２の前方に位置して、光ファイバ６の光ポート１２への挿入を防止する。スライダ２６は、ベイル３２の回転範囲を規制するストッパ５４を含む。ストッパ５４は、取っ手部４６が回避位置から光ポート１２の前方を超えて移動することを防止する。
【００３９】
次に、ベイル３２の回転に連動するスライダ２６の動作及びベイル３２の作用について説明する。
【００４０】
図７は、図２に示す光伝送モジュール１のVII−VII線断面の一部を示す図である。図８は、図６に示す光伝送モジュール１のVIII−VIII線断面の一部を示す図である。
【００４１】
図２に示す状態では、スライダ２６がロック位置にある。このとき、図７に示すように、ベイル３２の作用点軸部３８の回転軸が、支点軸部３４の回転軸よりも、第１方向Ｄ１にずれた位置にある。この状態では、ベイル３２は自然の状態であって応力が生じていない。そして、図６に示すように、スライダ２６をロック解除位置に移動させると、図８に示すように、ベイル３２の作用点軸部３８の回転軸が第２方向Ｄ２に移動する。その詳細を以下さらに説明する。
【００４２】
図９は、スライダ２６が移動するときのベイル３２の形状を説明するための平面図である。図１０は、スライダ２６が移動するときのベイル３２の形状を説明するための正面図である。図９及び図１０において、（Ａ）にはスライダ２６がロック位置にあるときの状態が示され、（Ｂ）にはスライダ２６がロック解除位置にあるときの状態が示されている。また、図１１は、スライダ２６がロック解除位置にあるときの状態を示す斜視図である。
【００４３】
スライダ２６がロック位置にあるときに、支点軸部３４を回転させるように取っ手部４６に外力を加える。そうすると、支点軸部３４は回転するが、作用点軸部３８は、支点軸部３４とは回転軸がずれているため、そのままの自然な回転はできない。
【００４４】
しかし、作用点軸部３８を支持するスライダ２６は、第１方向Ｄ１及び第２方向Ｄ２に移動可能であるため、作用点軸部３８も、第１方向Ｄ１及び第２方向Ｄ２の移動できるようになっている。ただし、作用点軸部３８は、スライダ２６の移動規制に伴って、第１方向Ｄ１及び第２方向Ｄ２に交差するとともに作用点軸部３８の回転軸に交差する方向の移動は規制されている。
【００４５】
したがって、作用点軸部３８は、少なくとも連結部４４の弾性変形を生じさせれば、第２方向Ｄ２には移動することができる。これに伴って、スライダ２６は、ロック位置からロック解除位置の方向に移動する。
【００４６】
図１２は、弾性変形したベイル３２を示す図である。図１２に示すように、ベイル３２は、二点鎖線で描く形状から実線で描く形状に変形する。少なくとも連結部４４に弾性変形によって生じる応力（弾性力）は、スライダ２６がロック位置に戻るように、作用点軸部３８を第１方向Ｄ１に戻す力として働く。
【００４７】
本実施形態によれば、ベイル３２の連結部４４の弾性変形によって生じる応力によって、スライダ２６をロック位置に戻すことができる。したがって、外力を加えない限り、スライダ２６がロック解除位置には留まらないので、部品点数を増やさずに、自動的に光伝送モジュール１の抜け止めを図ることができる。
【００４８】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００４９】
１  光伝送モジュール、２  ケージ、３  回路基板、４  コネクタ、５  ロックタブ、６  光ファイバ、１０  モジュール本体、１２  光ポート、１４  側面、１６  上面、１８  下面、２０  溝、２２  切り込み部、２４  ロック部、２６  スライダ、２８  ステー部、３０  凸部、３２  ベイル、３４  支点軸部、３６  軸受け部、３８  作用点軸部、４０  ベース部、４２  軸受け部、４４  連結部、４６  取っ手部、４８  取っ手連結部材、５０  第１部材、５２  第２部材、５４  ストッパ、１４６  第１取っ手部、２４６  第２取っ手部。
【図１】
2011133655.tif 000003
【図２】
2011133655.tif 000004
【図３】
2011133655.tif 000005
【図４Ａ】
2011133655.tif 000006
【図４Ｂ】
2011133655.tif 000007
【図５】
2011133655.tif 000008
【図６】
2011133655.tif 000009
【図７】
2011133655.tif 000010
【図８】
2011133655.tif 000011
【図９】
2011133655.tif 000012
【図１０】
2011133655.tif 000013
【図１１】
2011133655.tif 000014
【図１２】
2011133655.tif 000015